(57)【要約】【課題】ヘッダカードの検知漏れを検出することができる紙葉類処理装置、及び、紙葉類処理方法を提供する。【解決手段】紙葉類処理装置１は、被処理媒体Ｐ中に配置されている仕切カード４１の一覧を予め記憶部１１ａに記憶する。前記被処理媒体Ｐを投入し、前記投入された前記被処理媒体Ｐを１枚ずつ取り込み、前記取り込んだ前記仕切カード４１の識別情報を検知し、検知した前記仕切カード４１の識別情報の一覧と、前記記憶している前記仕切カード４１の識別情報の一覧とが一致するか否か判定し、前記判定結果に基づいて、仕切カード４１の検知漏れを検出する。【選択図】      図１
2009187487.tif 000002
【特許請求の範囲】
【請求項１】
識別情報が付与された複数の仕切カードと複数の紙葉類とを含む被処理媒体を処理する紙葉類処理装置であって、
前記被処理媒体中に配置される仕切カードの識別情報の一覧を予め記憶する第１の記憶手段と、
前記被処理媒体が投入される投入部と、
前記投入部に投入された前記被処理媒体を１枚ずつ取り込む取込手段と、
前記取込手段により取り込んだ前記被処理媒体のうち紙葉類を計数して計数情報を取得する計数処理を行なう計数手段と、
前記取込手段により取り込んだ前記仕切カードの識別情報を検知するカード検知手段と、
前記カード検知手段により検知した前記仕切カードの識別情報の一覧と、前記第１の記憶手段により記憶されている識別情報の一覧とが一致するか否か判定する判定手段と、
前記判定手段による判定結果に基づいて、仕切カードの検知漏れを検出する検出手段と、
を具備する紙葉類処理装置。
【請求項２】
前記第１の記憶手段は前記被処理媒体中において仕切カードが配置されている配置順で前記仕切カードの識別情報を予め記憶する第２の記憶手段を具備し、前記判定手段は、前記カード検知手段により仕切カードを検知した検知順と、前記第２の記憶手段により記憶されている配置順とが一致するか否か判定する判定手段を具備する請求項１に記載の紙葉類処理装置。
【請求項３】
外部から前記被処理媒体中に配置される仕切カードの識別情報の一覧を取得し前記第１の記憶手段に記憶するデータ取得手段を具備することを特徴とする請求項１に記載の紙葉類処理装置。
【請求項４】
前記判定手段は、
前記カード検知手段により前回検知した仕切カードの識別情報と一致する識別情報を前記記憶手段から検索する検索手段と、
前記検索手段により検索した識別情報の次の記憶領域に記憶されている識別情報と、今回検知した仕切カードの識別情報とが一致するか否かを判定する連続性判定手段と、
をさらに具備する請求項２に記載の紙葉類処理装置。
【請求項５】
前記検出手段により仕切カードの検知漏れを検出した場合に当該紙葉類処理装置の動作を停止させる制御手段をさらに具備する請求項１に記載の紙葉類処理装置。
【請求項６】
前記検出手段により仕切カードの検知漏れを検出した場合に仕切カードの検知漏れを検出したことを報知する報知手段をさらに具備する請求項１に記載の紙葉類処理装置。
【請求項７】
前記検出手段により仕切カードの検知漏れを検出した場合に仕切カードの検知漏れを検出したことを検索可能な状態で記憶する第３の記憶手段をさらに具備する請求項１に記載の紙葉類処理装置。
【請求項８】
前記仕切カードは、識別情報を記憶したＩＣチップを具備し、
前記カード検知手段は、前記仕切カードが有するＩＣチップから前記仕切カードの識別情報を読み取るＩＣ読取手段を具備する請求項１に記載の紙葉類処理装置。
【請求項９】
前記検知手段により検知した前記仕切カードの識別情報と前記計数手段により前記仕切カードを検知してから次の仕切カードを検知するまでに処理した紙葉類の計数情報とを対応付けて記憶する第４の記憶手段をさらに具備する請求項１に記載の紙葉類処理装置。
【請求項１０】
片面に識別情報が付与された複数の仕切カードと複数の紙葉類とを含む被処理媒体を処理する紙葉類処理装置に用いられる紙葉類処理方法であって、
前記被処理媒体中に配置される仕切カードの識別情報の一覧を予め記憶し、
前記被処理媒体が投入し、
前記投入された前記被処理媒体を１枚ずつ取り込み、
前記取り込んだ前記被処理媒体のうち紙葉類を計数して計数情報を取得する計数処理を行ない、
前記取り込んだ前記仕切カードの識別情報を検知し、
前記検知した前記仕切カードの識別情報の一覧と、前記記憶されている識別情報の一覧とが一致するか否か判定し、
前記判定結果に基づいて、仕切カードの検知漏れを検出する、
ことを特徴とする紙葉類処理方法。
【発明の詳細な説明】
【技術分野】
【０００１】
本発明は、例えば、識別情報が付与された複数の仕切カードと複数の紙葉類とを含む被処理媒体を処理する紙葉類処理装置、及び、紙葉類処理方法に関する。
【背景技術】
【０００２】
紙葉類処理装置は、投入部にセットされた紙幣などの紙葉類を１枚ずつ取込んで検知部に送る。検知部は、取り込んだ紙幣を検知して券種を判定し、判定結果を集計し、合計金額の情報（計数情報）を得ている。紙葉類処理装置で扱う紙幣は、例えば顧客が銀行口座に入金するための現金である。この現金の計数情報を銀行口座の金額情報に加算することにより入金が行なわれる。
【０００３】
従来、入金毎に計数を行う方法として、１回の入金毎に紙幣を投入部にセットし、口座の情報などを入力し、計数処理を紙葉類処理装置に行わせる方法があった。しかし、この方法では、装置を操作する係員が紙幣をセットする間装置が停止した状態となるため、スループットが低くなる。
【０００４】
そこで、予め、入金する口座情報と対応付けられた識別情報がバーコードとして印刷されたヘッダカードを仕切カードとして複数組の入金紙幣の間に挟んで投入部にセットすることにより、ヘッダカードを入金の区切りであると認識して入金毎に計数情報を得る紙葉類処理装置が提供されている（例えば、特許文献１参照）。
【特許文献１】特開２００２−３３４３６２号公報
【発明の開示】
【発明が解決しようとする課題】
【０００５】
上記した紙葉類処理装置は、複数枚束ねられて投入された紙幣、或いはヘッダカードなどの被処理媒体を１枚ずつ取り込んで撮像し、正規の紙幣であるか否か、再使用可能であるか否か、などを鑑査する。しかし、紙葉類処理装置は、被処理媒体を２枚同時に取り込んでしまう場合がある。このような場合、２枚の被処理媒体は重なって搬送されている為、紙葉類処理装置は、この被処理媒体に対して鑑査を行なうことができない。
【０００６】
例えば、２枚重なった被処理媒体のうちの１枚がヘッダカードである場合、紙葉類処理装置は、ヘッダカードを検知することができない。即ち、ヘッダカードの検知漏れが生じる。この場合、ヘッダカードに印刷されている口座情報と対応付けられている識別情報を読み取ることが出来ない為、紙葉類処理装置は、被処理媒体のうちの紙幣の計数情報と口座情報とを正確に対応付けることができないという問題がある。
【０００７】
そこで、本発明の目的は、ヘッダカードの検知漏れを検出することができる紙葉類処理装置、及び、紙葉類処理方法を提供することにある。
【課題を解決するための手段】
【０００８】
本発明の一実施形態としての紙葉類処理装置は、識別情報が付与された複数の仕切カードと複数の紙葉類とを含む被処理媒体を処理する紙葉類処理装置であって、前記被処理媒体中に配置される仕切カードの識別情報の一覧を予め記憶する第１の記憶手段と、前記被処理媒体が投入される投入部と、前記投入部に投入された前記被処理媒体を１枚ずつ取り込む取込手段と、前記取込手段により取り込んだ前記被処理媒体のうち紙葉類を計数して計数情報を取得する計数処理を行なう計数手段と、前記取込手段により取り込んだ前記仕切カードの識別情報を検知するカード検知手段と、前記カード検知手段により検知した前記仕切カードの識別情報の一覧と、前記第１の記憶手段により記憶されている識別情報の一覧とが一致するか否か判定する判定手段と、前記判定手段による判定結果に基づいて、仕切カードの検知漏れを検出する検出手段と、を具備する。
【０００９】
また、本発明の一実施形態としての紙葉類処理方法は、片面に識別情報が付与された複数の仕切カードと複数の紙葉類とを含む被処理媒体を処理する紙葉類処理装置に用いられる紙葉類処理方法であって、前記被処理媒体中に配置される仕切カードの識別情報の一覧を予め記憶し、前記被処理媒体が投入しと、前記投入された前記被処理媒体を１枚ずつ取り込み、前記取り込んだ前記被処理媒体のうち紙葉類を計数して計数情報を取得する計数処理を行ない、前記取り込んだ前記仕切カードの識別情報を検知し、前記検知した前記仕切カードの識別情報の一覧と、前記記憶されている識別情報の一覧とが一致するか否か判定し、前記判定結果に基づいて、仕切カードの検知漏れを検出する。
【発明の効果】
【００１０】
この発明の一形態によれば、ヘッダカードの検知漏れを検出することができる紙葉類処理装置、及び、紙葉類処理方法を提供することができる。
【発明を実施するための最良の形態】
【００１１】
以下、図面を参照しながら、本発明の実施形態に係る紙葉類処理装置、及び、紙葉類処理方法について詳細に説明する。
【００１２】
図１は、本発明の実施形態に係る紙葉類処理装置１の有する機能をブロックとして示すブロック図である。  
紙葉類処理装置１は、紙幣などの他に、仕切カードとしてのヘッダカードを処理する機能を有する。紙葉類処理装置１は、制御部１１、カード検知器１２、及びアラーム１７を備えている。制御部１１は、予め設定した動作プログラムに従って紙葉類処理装置１の全体動作を制御する。また、制御部１１は、取り込んだ紙幣の金種を判別し、計数情報を算出する計数手段として機能する。制御部１１は、記憶手段としての記憶部１１ａを備えている。記憶部１１ａには、当該紙葉類処理装置１で処理する被処理媒体内に配置されているヘッダカードの配置順が記憶される。また、記憶部１１ａは、各種の設定データ及び処理結果の記憶用にも用いられる。
【００１３】
カード検知器１２は、ヘッダカードを検知するカード検知手段である。ヘッダカードには識別情報がバーコードなどにより印字されている。カード検知器１２は、例えばバーコードリーダからなり、ヘッダカードが搬送されてきた場合に、ヘッダカードに印刷されているバーコードからヘッダカードの識別情報を検知する。アラーム１７は、制御部１１による処理結果及び、紙葉類処理装置１において生じた異常状態を係員に報知するための放置手段として機能する。
【００１４】
なお、紙葉類処理装置１は、紙葉類の投入部、及び、装置内部の搬送路に複数のセンサを有しており、逐次紙葉類の有無を検知している。これにより、紙葉類処理装置１は、装置内における紙葉類の搬送位置、鑑査した情報と紙葉類との対応付け、及び未処理の紙葉類の有無などを判断することができる。
【００１５】
紙葉類処理装置１は、カード検知器１２によりヘッダカードを検知した場合、紙幣の計数情報とヘッダカードの識別情報とを対応付ける。紙葉類処理装置１は、鑑査する紙幣の束とヘッダカードとを１組として、複数組の被処理媒体を１処理単位として連続して処理する。
【００１６】
紙葉類処理装置１は、紙葉類に対する鑑査を行う鑑査モードの他に、当該紙葉類処理装置１で処理する被処理媒体内に配置されているヘッダカードの配置順を記憶する記憶モードを有している。記憶モードにおいて、紙葉類処理装置１は、カード検知器１２によりヘッダカードを検知して識別情報を読み取り、読み取った順でヘッダカードの識別情報を蓄積して記憶部１１ａに記憶する。記憶モード及び鑑査モードは、係員による操作によって適宜切り替えられる。
【００１７】
紙葉類処理装置１は、操作表示部２、及び準備装置７に接続されている。操作表示部２は、紙葉類処理装置１の制御部１１の表示制御に基づいて係員に対する操作案内などを表示するものである。また、操作表示部２は、係員による操作指示を受け付ける。操作表示部２は、たとえば、タッチパネル内蔵のディスプレイ装置により構成されている。
【００１８】
準備装置７は、複数顧客の口座情報が記憶されている顧客情報記憶部７ａを備えており、予め、入金する口座情報とヘッダカードの識別情報とを対応付けて記憶する。
【００１９】
また、操作表示部２に、バーコードリーダなどにより構成されるハンドスキャナ３が接続されていてもよい。ハンドスキャナ３は、係員の操作によりヘッダカードに印刷されているバーコードを連続して検知し、ヘッダカードの識別情報を取得するデータ取得手段として機能する。操作表示部２は、ハンドスキャナ３により取得したヘッダカードの識別情報を順次紙葉類処理装置１に送信する。紙葉類処理装置１は、操作表示部２から受信した順に識別情報を記憶部１１ａに記憶する。また、記憶部１１ａにヘッダカード４１の識別情報を記憶する手段は、ヘッダカード４１の識別情報の一覧を予め記憶しており、係員が識別情報を選択することにより、選択した識別情報を記憶部１１ａに一覧として記憶する外部装置などであってもよい。
【００２０】
図２は、一実施形態に係る紙葉類処理装置１の内部の構成例を概略的に示す図である。  
紙葉類処理装置１は、区分集積装置１Ａと施封装置１Ｂとを有している。区分集積装置１Ａは、紙幣を種類あるいは状態に応じて区分し、区分した紙幣を種類、あるいは状態ごとに集積し、その計数情報を得る集積処理を行なう。施封装置１Ｂは、集積した紙幣を所定数毎に施封する。なお、この施封装置１Ｂは、省略してもよい。
【００２１】
区分集積装置１Ａには、１処理単位分の被処理媒体Ｐが一括して投入される。被処理媒体Ｐが投入されると、区分集積装置１Ａは、投入された被処理媒体を種類、及び状態に応じて分類する。区分集積装置１Ａは、分類した被処理媒体の内、紙幣を集積手段としての各集積庫（カセット）１４１−１４６あるいは施封装置１Ｂへ搬送する。
【００２２】
区分集積装置１Ａには、被処理媒体Ｐが投入される投入部４が設けられている。投入部４は、処理トレイ５、バックアッププレート６、および、取出しローラ１０を有している。処理トレイ５には、複数枚の紙幣とヘッダカードとを含む被処理媒体Ｐがその上端或いは下端に当接して整位された状態で投入される。
【００２３】
処理トレイ５に投入される被処理媒体Ｐは、それぞれ長手方向と幅方向とを有する。被処理媒体Ｐは、その長手方向の上端、或いは下端が下を向く姿勢で処理トレイ５に投入される。
【００２４】
図２に示すように、バックアッププレート６は、処理トレイ５に対して垂直方向に立設されている。バックアッププレート６は、ばね８により処理トレイ５に沿って取出しローラ１０側（図中ａ方向）に移動するようになっている。取出しローラ１０は、１対のローラにより構成される。取出しローラ１０は、所定方向に回転することにより、処理トレイ５上にセットされた被処理媒体Ｐを順に１枚ずつ取り込む取込手段として機能する。したがって、投入部４に投入された被処理媒体Ｐは、バックアッププレート６によって、処理トレイ５に沿って矢印ａの方向に移動され、取出しローラ１０（取出し部）に押し付けられる。
【００２５】
取出しローラ１０の後段には、搬送路１３が設けられている。搬送路１３は、複数の搬送ローラ１５と搬送ベルト１４、１６により構成されている。搬送路１３では、複数の搬送ローラ１５により駆動する搬送ベルト１４、１６により被処理媒体Ｐが搬送される。搬送路１３には、取出しローラ１０により取り出された被処理媒体Ｐが順に供給される。たとえば、取出しローラ１０は、被処理媒体Ｐをその上端或いは下端を先頭にして幅方向に搬送路１３に供給する。また、取出しローラ１０により搬送路１３上に供給される被処理媒体Ｐは、表裏がばらばらの状態となっている。図２に示す構成例では、投入部４から取出される被処理媒体Ｐの取出し方向は下向きとなっている。
【００２６】
搬送路１３上に、検知器３０が設けられている。検知器３０は、種々のセンサを有し、搬送路１３を搬送される被処理媒体Ｐから種々の情報、例えば、被処理媒体Ｐの券種、表裏、天地、汚れや破損の有無等の特徴を読み取る。検知器３０は、たとえば、被処理媒体Ｐの表面の画像を読み取るイメージセンサ、被処理媒体Ｐの厚さを検知するセンサ、被処理媒体Ｐに含まれる磁性体を検知するセンサなどを備えている。検知器３０の各センサにより読み取った情報に基づいて、後述する判定部は、例えば画像、厚さ、磁気情報のような被処理媒体Ｐの特徴を判定する。
【００２７】
図２に示す区分集積装置１Ａでは、表裏および天地がばらばらの状態の複数の被処理媒体Ｐが投入部４に投入される。このため、検知器３０を通過する各被処理媒体Ｐも、表裏および天地がばらばらな状態となっている。
【００２８】
ここで、検知器３０を通過する被処理媒体Ｐの表裏および天地に関する向きは４種類ある。以下の説明では、表面が上方を向いて搬送方向前方に対して上端を向けて取出された被処理媒体Ｐを表上（ＦＦ）券と称し、表面が上方を向いて搬送方向前方に対して下端を向けて取出された被処理媒体Ｐを表下（ＦＲ）券と称し、裏面が上方を向いて搬送方向前方に対して上端を向けて取出された被処理媒体Ｐを裏上（ＢＦ）券と称し、裏面が上方を向いて搬送方向前方に対して下端を向けて取出された被処理媒体Ｐを裏下（ＢＲ）券と称する。つまり、検知器３０を通過して搬送される被処理媒体Ｐは、これら４種類の搬送姿勢のうちいずれかの姿勢で搬送されることになる。
【００２９】
検知器３０の後段に延設された搬送路１３上には、ヘッダカード４１を検知するカード検知手段として機能するカード検知器１２が設けられている。制御部１１は、カード検知器１２により、ヘッダカード４１が搬送されてきた場合に、ヘッダカード４１に印刷されているバーコードからヘッダカード４１の識別情報を読み取る。
【００３０】
カード検知器１２の後段に延設された搬送路１３上には、検知器３０における検知結果に基づいて被処理媒体Ｐの搬送方向を選択的に切換えるための複数のゲートＧ１乃至Ｇ９が設けられている。
【００３１】
ゲートＧ１は、被処理媒体Ｐを後段の処理が可能なものとリジェクトするものとに振り分ける。たとえば、制御部１１は、紙葉類判定手段として機能し、紙葉類が再使用が可能であるか否かを検知器３０による検知結果に基づいて判定する。この判定において、後段の処理が不可能、即ち、再使用が不可能であることが判定された被処理媒体Ｐ（排除券）は、ゲートＧ１を介してリジェクト箱３２へ搬送される。排除券としては、例えばヘッダカード４１、２枚取りが判定された紙幣、所定のレベルを超えて大きくスキューしたことが判定された紙幣、或いは再流通可能な正券と判定されなかった損券や、偽券などがある。即ち、リジェクト箱３２には、図２に示すように、ヘッダカード４１と、各ヘッダカード４１の間で再使用不可であると判定された排除券である被処理媒体Ｒとが蓄積される。
【００３２】
リジェクト箱３２には、必要に応じて、被処理媒体がリジェクトされたことを検知する排除検知器を設けることもできる。リジェクト箱３２は、紙葉類処理装置１の外部からアクセスが可能となっているので、リジェクト箱３２に集積された被処理媒体Ｒは、係員が取り出すことができるようになっている。
【００３３】
一方、検知器３０において後段の処理が可能であると判定された被処理媒体Ｐ、即ち紙幣Ｐは、ゲートＧ１を介してゲートＧ２へ搬送される。ゲートＧ２は、表裏に応じて紙幣Ｐを振り分けるようになっている。ゲートＧ２の下流側の搬送路は、２方向に分岐されている。すなわち、ゲートＧ２は、表裏の状態に応じて紙幣Ｐの搬送方向を２方向に選択的に切換える。
【００３４】
ゲートＧ２の下流側で分岐された一方の搬送路上には、紙幣Ｐの表裏を反転させるための表裏反転機構３４（表裏反転部）が設けられている。また、ゲートＧ２の下流側で分岐された他方の搬送路３６は、紙幣Ｐの表裏を変化させずに、単に紙幣Ｐを通過させる搬送パスとなっている。すなわち、ゲートＧ２の後段では、紙幣Ｐの表裏を取り揃えられるようになっている。
【００３５】
表裏反転機構３４は、２組の搬送ベルト３３、３５を備えている。搬送ベルト３３および３５は、その入口から出口に向けて中心軸の回りで１８０°回転されたねじり搬送路を形成している。したがって、ゲートＧ２により表裏反転機構３４へ振り分けられた紙幣Ｐは、表裏反転される。たとえば、ＦＦ券は、表裏反転機構３４により表裏反転され、裏面を上にしたＢＦ券に反転される。
【００３６】
表裏反転機構３４を通過して表裏反転された紙幣Ｐ、および、表裏反転機構３４を通過せずに搬送路（搬送パス）３６を通過した紙幣Ｐは、いずれも合流部３８を介してゲートＧ３に送り込まれる。
【００３７】
ゲートＧ２から表裏反転機構３４を介して合流部３８に至る紙幣Ｐの処理時間（搬送時間）とゲートＧ２から搬送路３６を介して合流部３８に至る紙幣Ｐの搬送時間とが同じになるように設定されている。これにより、表裏反転機構３４を介して搬送された紙幣Ｐと搬送路３６を通過された紙幣Ｐとが同じタイミングで合流部３８を通過する。その結果、全紙幣ＰがＢＦ券に合わせられてゲートＧ３へ送られる。
【００３８】
ゲートＧ３は、合流部３８を通過した紙幣Ｐを振り分けるようになっている。ゲートＧ３の下流側の搬送路は、２方向に分岐されている。ゲートＧ３は、紙幣Ｐの種類（あるいは状態）に応じて紙幣Ｐの搬送方向を２方向に選択的に切換える。
【００３９】
ゲートＧ３の下流側で分岐された一方の搬送路は、紙幣Ｐを例えば施封装置１Ｂへ搬送するための搬送路である。また、ゲートＧ３の下流側で分岐された他方の搬送路（水平搬送路）４０は、紙幣Ｐを区分集積装置１Ａ内の各集積庫１４１乃至１４６に集積するための搬送路であり、複数の集積庫１４１乃至１４６の上方で略水平方向に延びた搬送路を形成している。水平搬送路４０上には、紙幣Ｐを６つの集積庫１４１乃至１４６のうちのいずれか１つに振り分けて集積するための５つのゲートＧ５乃至Ｇ９が設けられている。
【００４０】
水平搬送路４０の最も上流側にあるゲートＧ５によって選択的に振り分けられた紙幣Ｐは集積庫１４１に集積される。ゲートＧ６によって選択的に振り分けられた紙幣Ｐは集積庫１４２に集積される。ゲートＧ７によって選択的に振り分けられた紙幣Ｐは集積庫１４３に集積される。ゲートＧ８によって選択的に振り分けられた紙幣Ｐは集積庫１４４に集積される。ゲートＧ９によって選択的に振り分けられた紙幣Ｐは集積庫１４５或いは集積庫１４６に集積される。これらの、搬送路、ゲートＧ１乃至Ｇ９、及び集積庫１４１乃至１４６により被処理媒体Ｐの集積手段が構成されている。
【００４１】
施封装置１Ｂは、区分集積装置１Ａから搬送される紙幣Ｐを集積庫（カセット）５１−５２に集積し、所定数毎に紙帯で施封する。施封装置１Ｂは、図２に示すように、集積庫５１、集積庫５２、供給部５３、施封機構５４、印刷機構５５、帯供給部５６を有している。集積庫５１、５２は、それぞれゲートＧ４を介して送り込まれた紙幣Ｐを集積する。各集積庫５１、５２には、それぞれ紙幣Ｐの蓄積枚数を検知するセンサが設けられている。
【００４２】
供給部５３は、集積庫５１あるいは５２に集積された所定枚数（たとえば１００枚）の紙幣Ｐを施封機構５４に供給する。施封機構５４は、供給部５３によって供給される集積庫５１あるいは５２に集積された所定枚数（たとえば１００枚）の紙幣Ｐを紙帯で施封する施封機構である。印刷機構５５は、施封機構５４で使用する紙帯に所望の印刷データを印刷する。帯供給部５６は、施封機構５４で使用する紙帯を供給する。
【００４３】
施封装置１Ｂには、区分集積装置１ＡのゲートＧ３により図中左方向に分岐された搬送路によって紙幣Ｐが供給される。区分集積装置１Ａから供給された紙幣Ｐは、施封装置１Ｂ内においてゲートＧ４により搬送方向が２方向に選択的に切換えられる。ゲートＧ４によって分岐搬送される紙幣Ｐは、施封装置１Ｂ内の集積庫５１あるいは集積庫５２に選択的に集積される。
【００４４】
ゲートＧ４を介していずれかの集積庫５１あるいは５２に集積された紙幣Ｐは、供給部５３によって施封機構５４へ送り込まれる。施封機構５４では、帯供給部５６から供給された紙帯によって供給部５３により供給された所定枚数の紙幣Ｐを施封する。所定枚数毎に施封された紙幣Ｐの束は、図示しないコンベアを介して装置外へ搬出される。
【００４５】
区分集積装置１Ａでは、必要に応じて特定の券種を施封装置１Ｂへ供給し得る。一方、施封装置１Ｂにて施封すべき券種以外の券種の紙幣Ｐは、区分集積装置１Ａ内の集積庫１４１乃至１４６のいずれかに集積される。
【００４６】
処理トレイ５に設置されたセンサにより、１処理単位分の被処理媒体Ｐの取り込みが終わったことが検知されると、区分集積装置１Ａは、自動で被処理媒体Ｐの取込みを停止し、集積庫に紙幣Ｐを収納して電子ロックし、集積処理を終了する。
【００４７】
また、ここで、２枚取りなどにより排除券であると判定され、リジェクト箱３２に蓄積された被処理媒体Ｐが係員により再度処理トレイ５に投入され、上記した集積処理が行なわれる。
【００４８】
次に、紙葉類処理装置１の制御系について説明する。  
図３は、図２に示す紙葉類処理装置１の制御系を示すブロック図である。  
紙葉類処理装置１の区分集積装置１Ａの制御系は、図３に示すように、例えば制御部１１、記憶部１１ａ、カード検知器１２、取出し制御部６２、搬送制御部６３、ゲート制御部６４、及び、判定部６５などを備えている。
【００４９】
取出し制御部６２は、制御部１１の制御に基づいて取出しローラ１０の駆動を行うものである。  
搬送制御部６３は、制御部１１の制御に基づいて搬送ローラ１５の駆動を行うものである。
【００５０】
判定部６５は、判定手段として機能し、検知器３０の検知結果に基づいて、例えば紙幣Ｐなどの紙葉類の状態を判定し得る。判定部６５では、各センサにより読み取った情報と基準となる情報とを比較することにより紙幣Ｐの特徴を判定する。
【００５１】
たとえば、判定部６５は、当該紙幣Ｐの券種を判定するとともに、紙幣Ｐの表裏および天地を判定する。さらに、判定部６５は、当該紙幣Ｐが正券か損券かを判定する。正券とは、再流通が可能な券であり、損券とは、再流通が不可な券である。つまり、正券か損券かは、紙幣Ｐの状態（質）の良し悪しにより判定されるものである。判定部６５では、紙幣Ｐの汚れ、破れ、折れ、紙質、テープ貼り等の度合いによって正券か損券かを判定する。
【００５２】
ここで、制御部１１は、検知器３０により正券であると判定された紙幣Ｐを計数する。  
また、判定部６５は、偽券等を検知し、その検知結果を制御部１１に送ることができる。
【００５３】
ゲート制御部６４は、制御部１１の制御に基づいてゲートＧ１乃至Ｇ３、Ｇ５乃至Ｇ９の駆動を行うものである。例えば、ヘッダカード４１及び偽券等の検知結果を受けて、制御部１１がゲートＧ１を駆動することにより、ヘッダカード４１及び偽券等をリジェクト箱３２に排除することができる。即ち、制御部１１およびゲートＧ１は、被処理媒体を装置外部から取り出し可能な状態で排除する排除手段として機能する。
【００５４】
さらに、記憶部１１ａは、区分集積装置１Ａの動作プログラムの実行に使用される設定情報例えば取出し制御部６２における取出しトルクの設定値、判定部にて各検知器の検知結果の判定に使用される基準値、搬送制御部６３における搬送センサレベル、適正な搬送方向に対する被処理媒体Ｐの角度のずれの許容限度となる整位角、ゲート制御部６４における集積庫の選択及び集積される券種の設定等の情報が各々複数種ずつ記憶される。
【００５５】
また、制御部１１は、取り出し制御部６２に取込みの停止を指示することができる。取込みの停止の指示を受けて、取り出し制御部６２は、取り出しローラ１０の駆動をＯＦＦすることができる。
【００５６】
被処理媒体Ｐが投入部４に投入された場合、区分集積装置１Ａは、投入された被処理媒体Ｐを集積すると同時に、投入された被処理媒体Ｐのうちの紙幣を計数し、計数情報を記憶部１１ａに記憶する。
【００５７】
紙葉類処理装置１の施封装置１Ｂの制御系は、制御部７０、記憶部７１、搬送制御部７２、ゲート制御部７３、移動機構７４、施封機構５４、印刷機構５５などを備えている。  
制御部７０は、予め設定した動作プログラムに従って施封装置１Ｂの全体動作を制御する。記憶部７１には、制御部７０により実行される動作プログラムが記憶される。また、記憶部７１には、施封装置１Ｂの動作プログラムを実行するための設定情報例えば施封装置の台数、施封に用いられる紙帯の印刷パターン等の情報が各々複数種ずつ記憶される。
【００５８】
搬送制御部７２は、制御部７０の制御に基づいて搬送ローラを駆動するものである。ゲート制御部７３は、制御部７０の制御に基づいてゲートＧ４の駆動を行うものである。移動機構７４は、制御部７０の制御に基づいて集積庫５１あるいは５２に集積された所定枚数の紙幣Ｐを移動（搬送）するものである。
【００５９】
操作表示部２の制御系は、制御部２０、表示部２１、操作部２２などを備えている。制御部２０は、予め設定した動作プログラムに従って、操作表示部２全体の制御を司るものである。たとえば、制御部２０は、係員からの操作指示に基づいて区分集積装置１Ａに対する各種の動作設定などを行う機能を有する。制御部２０は、紙葉類処理装置１から各種のデータを受信する。制御部２０は、受信したデータに基づいて表示制御を行う。
【００６０】
表示部２１は、係員に対する操作案内などを表示する。操作部２２は、係員が操作指示を入力するものである。表示部２１と操作部２２とは、たとえば、タッチパネル内蔵のディスプレイ装置により構成されるようにしても良い。
【００６１】
図４は、記憶モードにおいて紙葉類処理装置１の投入部４に投入される被処理媒体Ｐとしてのヘッダカード４１の例を説明するための説明図である。
【００６２】
図４に示すように、ヘッダカード４１は、紙幣Ｐと同様に矩形状の本体４２を有している。ヘッダカード４１の本体４２の表面には、図４に示すように、カード固有の識別情報がバーコードとして印刷されている。即ち、ヘッダカード４１Ａ、４１Ｂ、４１Ｃ、４１Ｄ・・・には、それぞれ異なるパターンでバーコードが印刷されている。
【００６３】
紙葉類処理装置１は、カード検知器１２によりこのバーコードを読み取ることにより、ヘッダカード４１を認識する。即ち、図４に示すように、紙葉類処理装置１は、ヘッダカード４１Ａ、４１Ｂ、４１Ｃ、４１Ｄ・・・を順に取り込み、取り込んだヘッダカード４１をカード検知器１２により順次検知し、それぞれの識別情報を記憶部１１ａに順に記憶する。なお、ヘッダカード４１の本体４２の厚さは、紙幣Ｐとの識別を容易にするため、紙幣Ｐと異ならせてある。
【００６４】
また、ヘッダカード４１は、識別情報がバーコードとして印刷を有するとしたが、これに限定されない。ヘッダカード４１に、カード固有の識別情報を記憶したＩＣチップを埋設してもよい。この場合、カード検知器１２にＩＣリーダを設け、紙葉類処理装置１にＩＣチップに記憶されている識別情報を読み取らせることが出来る。この場合、カード検知器１２は、ＩＣ読取手段として機能する。
【００６５】
図５は、記憶モードにおける紙葉類処理装置１の処理を説明するためのフローチャートである。  
記憶モードにおいて紙葉類処理装置１を動作させる前に、係員は、図４に示すような１処理単位分の被処理媒体としてのヘッダカード４１の束を紙葉類処理装置１に投入する。紙葉類処理装置１は、投入部４にセットされているヘッダカード４１の束から１枚ずつヘッダカード４１を取り込む。  
紙葉類処理装置１は、取り込んだヘッダカード４１を搬送し、カード検知器１２により、ヘッダカード４１のバーコードを検知し、ヘッダカード４１の識別情報を取得する（ステップＳ１１）。紙葉類処理装置１の制御部１１は、ヘッダカード４１の識別情報を取得する毎に、逐次取得した識別情報を記憶部１１ａに記憶する（ステップＳ１２）。
【００６６】
紙葉類処理装置１は、投入部４に設置されているセンサにより次に処理すべきヘッダカード４１の有無を判定する（ステップＳ１３）。処理すべきヘッダカード４１があると判定した場合（ステップＳ１３、ＹＥＳ）、紙葉類処理装置１は、ステップＳ１１にループし、次のヘッダカードを取り込み、バーコードを検知し、識別情報を取得する。
【００６７】
処理すべきヘッダカード４１がないと判定した場合（ステップＳ１３、ＮＯ）、紙葉類処理装置１は、ヘッダカード４１の配置順を確定し（ステップＳ１４）、処理を終了する。
【００６８】
図６は、記憶部１１ａに記憶されたヘッダカード４１の配置順の例を説明するための説明図である。  
図６に示すように、記憶部１１ａには、記憶部１１ａ内の記憶領域の端からヘッダカード４１を検知した順に識別情報が連続して記憶されている。ヘッダカード４１の識別情報は、所定のビット数により構成されており、紙葉類処理装置１の制御部１１は、記憶部１１ａを所定のビットずつ読み込むことにより、ヘッダカード４１の配置順をその識別情報により判断することができる。
【００６９】
図７は、鑑査モードにおいて紙葉類処理装置１の投入部４に投入される被処理媒体Ｐの例を説明するための説明図である。
【００７０】
図７に示すように、被処理媒体Ｐは、複数枚の紙幣とヘッダカード４１とを１組とする紙葉類の束を複数含んでいる。図７に示す例では、ヘッダカード４１Ａと紙幣Ｐ１とが１組となっており、また、ヘッダカード４１Ｂと紙幣Ｐ２とが１組となっている。鑑査モードによりこの被処理媒体Ｐを処理した場合、紙葉類処理装置１の制御部１１は、ヘッダカード４１Ａの識別情報と紙幣Ｐ１の計数情報とを対応付ける。また、紙葉類処理装置１の制御部１１は、ヘッダカード４１Ｂの識別情報と紙幣Ｐ２の計数情報とを対応付ける。
【００７１】
図８は、鑑査モードにおける紙葉類処理装置１の処理を説明するためのフローチャートである。  
鑑査モードにおいて紙葉類処理装置１を動作させる前に、係員は、図７に示すような１処理単位分の被処理媒体Ｐを紙葉類処理装置１に投入する。紙葉類処理装置１は、投入部４にセットされている被処理媒体Ｐを１枚ずつ装置内部に取り込む（ステップＳ２１）。  
紙葉類処理装置１の制御部１１は、検知器３０により取り込んだ被処理媒体Ｐを検知緒する（ステップＳ２２）。ここでは、制御部１１は、検知器３０により被処理媒体Ｐの両面を撮像する、被処理媒体Ｐの厚さを検知する、などして、被処理媒体Ｐの券種、表裏、天地、汚れや破損の度合等の特徴を検知する。
【００７２】
制御部１１は、検知器３０による検知が完了した被処理媒体Ｐに対してカード検知器１２によりバーコードを読み取る処理を行なう（ステップＳ２３）。
【００７３】
制御部１１は、カード検知器１２による処理結果に応じて被処理媒体Ｐがヘッダカードであるか否か判定する（ステップＳ２４）。即ち、制御部１１は、カード検知器１２によりバーコードを読み取り、識別情報を取得した場合、被処理媒体Ｐがヘッダカードであると判定する。また、検知器３０による厚さの検知によって紙幣とヘッダカードとを判別するようにしてもよい。
【００７４】
被処理媒体Ｐがヘッダカードではないと判定した場合（ステップＳ２４、ＮＯ）、制御部１１は、検知器３０による処理結果に応じて被処理媒体Ｐが紙幣であり、且つ、再使用が可能であるか否かを判定する（ステップＳ２５）。
【００７５】
被処理媒体Ｐが再使用可能な紙幣であると判定した場合（ステップＳ２５、ＹＥＳ）、制御部１１は、検知器３０による処理結果に応じて計数処理を行なう（ステップＳ２６）。即ち、制御部１１は、処理した被処理媒体Ｐとしての紙幣Ｐの券種から額面を判定し、集計する。計数処理を実行すると、制御部１１は、搬送制御部６３及びゲート制御部６４により搬送ローラ１５及び各ゲートＧ１−Ｇ９を制御し、紙幣Ｐを金種ごとに対応する集積庫１４１−１４６のいずれかへ搬送する（ステップＳ２７）。
【００７６】
紙幣Ｐを集積湖へ搬送すると、制御部１１は、装置内部のセンサにより後続の被処理媒体Ｐが存在するか否か判定する（ステップＳ２８）。後続の被処理媒体Ｐが存在する場合（ステップＳ２８、ＹＥＳ）、制御部１１は、次に取り込んだ被処理媒体Ｐの処理に移行する。
【００７７】
被処理媒体Ｐが再使用可能な紙幣ではないと判定した場合（ステップＳ２５、ＮＯ）、制御部１１は、搬送制御部６３及びゲート制御部６４により搬送ローラ１５及びゲートＧ１を制御し、被処理媒体Ｐをリジェクト箱３２へ搬送する（ステップＳ２９）。制御部１１は、次の被処理媒体Ｐの処理に移行する。
【００７８】
被処理媒体Ｐがヘッダカードであると判定した場合（ステップＳ２４、ＹＥＳ）、制御部１１は、搬送制御部６３及びゲート制御部６４により搬送ローラ１５及びゲートＧ１を制御し、ヘッダカード４１をリジェクト箱３２へ搬送する（ステップＳ３０）。
【００７９】
制御部１１は、ヘッダカード４１の検知が初回であるか否か判定する（ステップＳ３１）。即ち、制御部１１は、紙葉類処理装置１による鑑査処理を開始して最初のヘッダカード４１の検知であるか否か判定する。
【００８０】
ヘッダカード４１の検知が初回である場合（ステップＳ３１、ＹＥＳ）、制御部１１は、検知したヘッダカード４１の識別情報と一致する識別情報を記憶部１１ａから検索し（ステップＳ３２）、次の被処理媒体Ｐの処理に移行する。この場合、制御部１１は、検索手段として機能する。
【００８１】
ヘッダカード４１の検知が初回でない場合（ステップＳ３２、ＮＯ）、制御部１１は、今回検知したヘッダカード４１の識別情報と一致する識別情報を記憶部１１ａから検索し、検索した識別情報と、前回のヘッダカード４１の検知時に検索した識別情報とが連続して記憶部１１ａに記憶されているかどうか判定する連続性判定処理を行う（ステップＳ３３）。即ち、制御部１１は、連続性判定手段として機能する。即ち、図９に示すように、ヘッダカード４１を検知した場合、検知したヘッダカード４１の識別情報と一致する識別情報を記憶部１１ａから検索する。検索した識別情報が、前回検索した識別情報のすぐ後ろに記憶されているか否かに応じて、記憶部１１ａに記憶されている配置順のとおりにヘッダカード４１を検知しているか否か判定する。
【００８２】
今回検知したヘッダカード４１の識別情報と一致する識別情報を記憶部１１ａから検索し、検索した識別情報と、前回のヘッダカード４１の検知時に検索した識別情報とが連続して記憶部１１ａに記憶されていると判定した場合（ステップＳ３３、ＹＥＳ）、制御部１１は、正確な順番でヘッダカード４１を検知していると判断し、次の被処理媒体Ｐの処理に移行する。
【００８３】
今回検知したヘッダカード４１の識別情報と一致する識別情報を記憶部１１ａから検索し、検索した識別情報と、前回のヘッダカード４１の検知時に検索した識別情報とが連続して記憶部１１ａに記憶されていると判定した場合（ステップＳ３３、ＮＯ）、制御部１１は、エラーと判定する（ステップＳ３４）。即ち、制御部１１は、ヘッダカード４１の検知漏れが生じたと判定する。
【００８４】
エラーと判定した場合、制御部１１は、紙葉類処理装置１の動作をエラー時動作に切り替える（ステップＳ３５）。即ち、制御部１１は、紙葉類処理装置１の制御手段として機能し、ヘッダカード４１の検知漏れを検出した場合、紙葉類処理装置１の動作を停止させる。または、制御部１１は、報知手段として機能し、ヘッダカード４１の検知漏れを検出した場合、ヘッダカード４１の検知漏れを検出したことを、例えば、アラーム１７を鳴らす、若しくは、操作表示部２に表示させることにより係員に報知する。または、制御部１１は、ヘッダカード４１の検知漏れを検出した場合、後から係員が操作表示部２を操作することにより検索可能な状態でヘッダカード４１の検知漏れを検出したことを記憶部１１ａに記憶する。
【００８５】
上述したように、本発明の一実施形態によると、予め、処理する被処理媒体中に配置されるヘッダカードの配置順を記憶しておき、鑑査処理時にヘッダカードを読み取った場合、記憶しているヘッダカードの配置順を参照し、常に前回読み取ったヘッダカードとの連続性をチェックする。
【００８６】
このように、ヘッダカードの配置順をチェックすることにより、ヘッダカードと紙幣との２枚取りなどで、ヘッダカードの検知漏れが生じた場合、ヘッダカードの検知漏れが生じたことを検出することができる。この結果として、ヘッダカードの検知漏れを検出することができる紙葉類処理装置、及び、紙葉類処理方法を提供することができる。
【００８７】
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００８８】
【図１】図１は、一実施形態に係る紙葉類処理装置の有する機能をブロックとして示すブロック図である。
【図２】図２は、一実施形態に係る紙葉類処理装置の内部の構成例を概略的に示す図である。
【図３】図３は、図２に示す紙葉類処理装置の制御系を示すブロック図である。
【図４】図４は、記憶モードにおいて紙葉類処理装置の投入部に投入される被処理媒体としてのヘッダカードの例を説明するための説明図である。
【図５】図５は、記憶モードにおける紙葉類処理装置の処理を説明するためのフローチャートである。
【図６】図６は、記憶部に記憶されたヘッダカードの配置順の例を説明するための説明図である。
【図７】図７は、鑑査モードにおいて紙葉類処理装置の投入部に投入される被処理媒体の例を説明するための説明図である。
【図８】図８は、鑑査モードにおける紙葉類処理装置の処理を説明するためのフローチャートである。
【図９】図９は、鑑査モードにおけるヘッダカードを検知した場合の突合処理を説明するための説明図である。
【符号の説明】
【００８９】
１…紙葉類処理装置、１Ａ…区分集積装置、１Ｂ…施封装置、２…操作表示部、３…ハンドスキャナ、４…投入部、７…準備装置、１１…制御部、１１ａ…記憶部、１２…カード検知器、３０…検知器、４１…ヘッダカード、１４１−１４６…集積庫。
【図１】
2009187487.tif 000003
【図２】
2009187487.tif 000004
【図３】
2009187487.tif 000005
【図４】
2009187487.tif 000006
【図５】
2009187487.tif 000007
【図６】
2009187487.tif 000008
【図７】
2009187487.tif 000009
【図８】
2009187487.tif 000010
【図９】
2009187487.tif 000011